【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
外壁によって外部と区画された内部空間、及び、当該内部空間を外部と連通する注入口及び流出口を有するタンクと、
上記流出口に接続された液体消費部と、を備えており、
上記タンクは、上記タンクの使用姿勢において、上記外壁から上下方向に直交する第１方向の一方の向きへ延びる第１内壁を有しており、
上記第１内壁は、上記内部空間を上記注入口が位置する第１空間と、上記流出口が位置する第２空間と、に区画し、当該第１空間と当該第２空間とを連通する第１連通孔を有しており、
上記タンクが上記使用姿勢から、上下方向及び上記第１方向に直交する第２方向に沿った軸回りの上記第１方向の他方の向きに０から９０度まで回転する第１回転姿勢において、上記第１内壁及び上記外壁により区画され、且つ上記第１連通孔を区画する面の最下位置より下方となる第３空間は、上記使用姿勢において上記第２空間の一部である第４空間に貯留される所定量の液体を貯留可能である液体消費装置。
【請求項２】
上記タンクは、上記使用姿勢において、上記第１内壁の上記第１連通孔よりも上記他方の向きに位置する部分から下方に延びる第２内壁を備えており、
上記第２内壁は、上記第１回転姿勢において、上記第２空間を、上記第２内壁よりも上方に位置する第５空間と、上記第２内壁よりも下方に位置する第６空間と、に区画し、当該第５空間と当該第６空間とを連通する第２連通孔を有しており、
上記タンクが上記使用姿勢から上記第２方向に沿った軸回りの上記他方の向きに９０から１８０度まで回転する第２回転姿勢において、上記第１内壁、上記第２内壁、及び上記外壁により区画され、且つ上記第２内壁の上記第２連通孔を区画する面の最下位置より下方となる第７空間は、上記使用姿勢において上記第４空間に貯留された液体を貯留可能である請求項１に記載の液体消費装置。
【請求項３】
上記タンクは、上記使用姿勢において、上記第２内壁の上記第２連通孔よりも上方に位置する部分から上記第１方向の上記他方の向きに延びる第３内壁を備えており、
上記第３内壁は、上記第２回転姿勢において、上記第６空間を、上記第３内壁よりも上方に位置する第８空間と、上記第３内壁よりも下方に位置する第９空間と、に区画し、当該第８空間と当該第９空間とを連通する第３連通孔を有しており、
上記タンクが上記使用姿勢から上記第２方向に沿った軸回りの上記他方の向きに１８０から２７０度まで回転する第３回転姿勢において、上記第１内壁、上記第２内壁、上記第３内壁、及び上記外壁により区画され、且つ上記第３内壁の上記第３連通孔を区画する面の最下位置より下方となる第１０空間は、上記使用姿勢において上記第４空間に貯留された液体を貯留可能である請求項２に記載の液体消費装置。
【請求項４】
上記使用姿勢において、上記第１内壁は、上記外壁から上記一方の向きに延びるにつれて、下方に向かう上面を有している請求項１から３のいずれかに記載の液体消費装置。
【請求項５】
上記使用姿勢において、上記第２内壁は、上記第１内壁から下方に延びるにつれて、上記他方の向きに向かう上記一方の向きの側面を有している請求項２から４のいずれかに記載の液体消費装置。
【請求項６】
上記使用姿勢において、上記第３内壁は、上記他方の向きに延びるにつれて、上方に向かう下面を有している請求項３から５のいずれかに記載の液体消費装置。
【請求項７】
上記使用姿勢において、上記第３内壁は、上記他方の向きに延びるにつれて、下方に向かう上面を有している請求項３から６のいずれかに記載の液体消費装置。
【請求項８】
上記タンクが上記使用姿勢から上記第２方向に沿った軸回りの上記一方の向きに０から９０度まで回転する第４回転姿勢において、上記内部空間のうち上記外壁により区画され、且つ上記注入口よりも下方となる第１１空間は、上記使用姿勢において上記第４空間に貯留された液体を貯留可能である請求項１から７に記載の液体消費装置。
【請求項９】
上記タンクは、上記使用姿勢において、上記第２内壁から上記他方の向きに延びる第４内壁を備えており、上記第４内壁は上記第１内壁の下方且つ上記第３内壁よりも上方に位置しており、
上記第４内壁は、上記使用姿勢において、上記第９空間を、上記第４内壁よりも上方に位置する空間と、上記第４内壁よりも下方に位置する空間と、に区画し、当該上方に位置する空間と当該下方に位置する空間とを連通する第４連通孔を有している請求項２から７のいずれかに記載の液体消費装置。
【請求項１０】
上記タンクは、上記使用姿勢において、上記外壁から下方に延びる第５内壁を備えており、
上記第５内壁は、上記使用姿勢において、上記第１空間を、上記注入口が位置する第１２空間と、当該第１２空間よりも上記一方の向きに位置する第１３空間と、に区画し、当該第１２空間と当該第１３空間とを連通する第５連通孔を有しており、
上記タンクが上記使用姿勢から上記第２方向に沿った軸回りの上記一方の向きに９０から１８０度まで回転する第５回転姿勢において、上記第５内壁及び上記外壁によって区画され、且つ上記第５内壁の上記第５連通孔を区画する面の最下位置より下方の空間となる第１４空間は、上記タンクが上記第２方向に沿った軸回りの上記一方の向きに回転して上記使用姿勢から上記第５回転姿勢になる間に上記第４空間から上記第５空間を経由して上記第１４空間に流れ込む液体の全量を貯留可能である請求項３から７及び９のいずれかに記載の液体消費装置。
【請求項１１】
上記使用姿勢において、上記第５内壁の少なくとも下部は、下方に向かうにつれて、上記一方の向きに向かっており、
上記タンクが上記使用姿勢から上記第２方向に沿った軸回りの上記一方の向きに１８０から２７０度まで回転する第６回転姿勢において、上記第５内壁及び上記外壁によって区画され、且つ上記第５内壁の上記第５連通孔を区画する面の最下位置より下方の空間となる第１５空間は、上記第５回転姿勢において上記第１４空間に貯留されている液体を貯留可能である請求項１０に記載の液体消費装置。
【請求項１２】
外壁によって外部と区画された内部空間、及び、当該内部空間を外部と連通する注入口及び流出口を有するタンクと、
上記流出口に接続された液体消費部と、を備えており、
上記タンクは、上記タンクの使用姿勢において、
上記外壁から、上下方向に直交する第１方向の一方の向きに延びる第６内壁であって、上記内部空間を、上記注入口が位置する第２０空間と、上記流出口が位置する第２１空間とに区画し、当該第２０空間と当該第２１空間とを連通する第６連通孔を有する第６内壁と、
上記第６内壁の一部に位置し、且つ、上記第６内壁の上記第６連通孔よりも上記他方の向きに位置する部分から上記他方の向きに延びる第７内壁であって、上記第２１空間を、上方に位置する第２２空間と、下方に位置する第２３空間とに区画し、当該第２２空間と当該第２３空間とを連通する第７連通孔を有する第７内壁と、
上記第７内壁よりも下方に位置し、且つ、上記外壁から上記他方の向きに延びる第８内壁であって、上記第２３空間を、上方に位置する第２４空間と、下方に位置する第２５空間とに区画し、当該第２４空間と当該第２５空間とを連通する第８連通孔を有する第８内壁と、
上記第８内壁の上記第８連通孔よりも上記一方の向きに位置する部分から下方に延びる第９内壁であって、上記第２５空間を、上記他方の向きに位置する第２６空間と、上記一方の向きに位置する第２７空間とに区画し、当該第２６空間と当該第２７空間とを連通する第９連通孔を有する第９内壁と、
上記第９内壁の上記第９連通孔よりも上方に位置する部分から上記一方の向きに延びる第１０内壁であって、上記第２７空間を、上方に位置する第２８空間と、下方に位置する第２９空間とに区画し、当該第２８空間と当該第２９空間とを連通する第１０連通孔を有する第１０内壁と、を備えており、
上記使用姿勢において、上記外壁には、上記第８内壁の下方に位置して上記第２５空間に貯留される最大液体量を示す満量ラインが示されており、
上記タンクが上記使用姿勢から上記第２方向に沿った軸回りの上記他方の向きに０から９０度まで回転する第１回転姿勢において、上記第８内壁、上記第９内壁、上記第１０内壁、及び上記外壁によって区画され、且つ上記第１０内壁の上記第１０連通孔を区画する面の最下位置より下方となる第３０空間と、上記第７内壁及び上記外壁によって区画され、且つ上記第７内壁の上記第７連通孔を区画する面の最下位置より下方となる第３１空間とは、上記使用姿勢において上記満量ラインより下方の第３２空間に貯留された液体を貯留可能であり、
上記タンクが上記使用姿勢から上記第２方向に沿った軸回りの上記他方の向きに９０から１８０度まで回転する第２回転姿勢において、上記第２８空間と上記第２２空間とは、上記使用姿勢において上記第３２空間に貯留された液体を貯留可能であり、
上記タンクが上記使用姿勢から上記第２方向に沿った軸回りの上記他方の向きに１８０から２７０度まで回転する第３回転姿勢において、第２７空間と、上記第６内壁、上記第７内壁、及び上記外壁によって区画され、且つ上記第７内壁の上記第７連通孔を区画する面の最下位置より下方となる第３３空間とは、上記使用姿勢において上記第３２空間に貯留された液体を貯留可能である液体消費装置。
【請求項１３】
上記タンクは、上記使用姿勢において、
上記第１０内壁よりも下方に位置し、且つ、上記外壁から上記一方の向きに延びる第１１内壁であって、上記第２９空間を、上方に位置する第３４空間と、下方に位置する第３５空間とに区画し、当該第３４空間と当該第３５空間とを連通する第１１連通孔を有する第１１内壁と、
上記第１１内壁の上記第１１連通孔よりも上記他方の向きに位置する部分から下方に延びる第１２内壁であって、上記第３５空間を、上記一方の向きに位置する第３６空間と、上記他方の向きに位置する第３７空間とに区画し、当該第３６空間と当該第３７空間とを連通する第１２連通孔を有する第１２内壁と、
上記第１２内壁の上記第１２連通孔よりも上方に位置する部分から上記他方の向きに延びる第１３内壁であって、上記第３７空間を、上方に位置する第３８空間と、下方に位置する第３９空間とに区画し、当該第３８空間と当該第３９空間とを連通する第１３連通孔を有する第１３内壁と、を備えている請求項１２に記載の液体消費装置。
【請求項１４】
使用姿勢において、上記第８内壁、上記第９内壁、及び上記第１０内壁は、上記第１１内壁の上方と、上記第１３内壁の下方とに設けられている請求項１３に記載の液体消費装置。
【請求項１５】
上記使用姿勢において、上記外壁には、上記第１内壁の下方に位置して上記第２空間に貯留される最大液体量を示す満量ラインが示されており、上記所定量の液体は、上記満量ラインより下方の空間に貯留されたものである請求項１から１４のいずれかに記載の液体消費装置。
【請求項１６】
外壁によって外部と区画された内部空間、及び、当該内部空間を外部と連通する第１開口及び第２開口を有するインク貯留部と、
上記第２開口に接続された液体消費部と、を備えており、
上記インク貯留部は、上記インク貯留部の使用姿勢において、上記外壁から上下方向に直交する第１方向の一方の向きへ延びる第１内壁を有しており、
上記第１内壁は、上記内部空間を上記第１開口が位置する第１空間と、上記第２開口が位置する第２空間と、に区画し、当該第１空間と当該第２空間とを連通する第１連通孔を有しており、
上記インク貯留部が上記使用姿勢から、上下方向及び上記第１方向に直交する第２方向に沿った軸回りの上記第１方向の他方の向きに０から９０度まで回転する第１回転姿勢において、上記第１内壁及び上記外壁により区画され、且つ上記第１連通孔を区画する面の最下位置より下方となる第３空間は、上記使用姿勢において上記第２空間の一部である第４空間に貯留される所定量の液体を貯留可能である液体消費装置。
【請求項１７】
外壁によって外部と区画された内部空間、及び、当該内部空間を外部と連通する第１開口及び第２開口を有するインク貯留部と、
上記第２開口に接続された液体消費部と、を備えており、
上記インク貯留部は、上記インク貯留部の使用姿勢において、
上記外壁から、上下方向に直交する第１方向の一方の向きに延びる第６内壁であって、上記内部空間を、上記第１開口が位置する第２０空間と、上記第２開口が位置する第２１空間とに区画し、当該第２０空間と当該第２１空間とを連通する第６連通孔を有する第６内壁と、
上記第６内壁の一部に位置し、且つ、上記第６内壁の上記第６連通孔よりも上記他方の向きに位置する部分から上記他方の向きに延びる第７内壁であって、上記第２１空間を、上方に位置する第２２空間と、下方に位置する第２３空間とに区画し、当該第２２空間と当該第２３空間とを連通する第７連通孔を有する第７内壁と、
上記第７内壁よりも下方に位置し、且つ、上記外壁から上記他方の向きに延びる第８内壁であって、上記第２３空間を、上方に位置する第２４空間と、下方に位置する第２５空間とに区画し、当該第２４空間と当該第２５空間とを連通する第８連通孔を有する第８内壁と、
上記第８内壁の上記第８連通孔よりも上記一方の向きに位置する部分から下方に延びる第９内壁であって、上記第２５空間を、上記他方の向きに位置する第２６空間と、上記一方の向きに位置する第２７空間とに区画し、当該第２６空間と当該第２７空間とを連通する第９連通孔を有する第９内壁と、
上記第９内壁の上記第９連通孔よりも上方に位置する部分から上記一方の向きに延びる第１０内壁であって、上記第２７空間を、上方に位置する第２８空間と、下方に位置する第２９空間とに区画し、当該第２８空間と当該第２９空間とを連通する第１０連通孔を有する第１０内壁と、を備えており、
上記使用姿勢において、上記外壁には、上記第８内壁の下方に位置して上記第２５空間に貯留される最大液体量を示す満量ラインが示されており、
上記インク貯留部が上記使用姿勢から上記第２方向に沿った軸回りの上記他方の向きに０から９０度まで回転する第１回転姿勢において、上記第８内壁、上記第９内壁、上記第１０内壁、及び上記外壁によって区画され、且つ上記第１０内壁の上記第１０連通孔を区画する面の最下位置より下方となる第３０空間と、上記第７内壁及び上記外壁によって区画され、且つ上記第７内壁の上記第７連通孔を区画する面の最下位置より下方となる第３１空間とは、上記使用姿勢において上記満量ラインより下方の第３２空間に貯留された液体を貯留可能であり、
上記インク貯留部が上記使用姿勢から上記第２方向に沿った軸回りの上記他方の向きに９０から１８０度まで回転する第２回転姿勢において、上記第２８空間と上記第２２空間とは、上記使用姿勢において上記第３２空間に貯留された液体を貯留可能であり、
上記インク貯留部が上記使用姿勢から上記第２方向に沿った軸回りの上記他方の向きに１８０から２７０度まで回転する第３回転姿勢において、第２７空間と、上記第６内壁、上記第７内壁、及び上記外壁によって区画され、且つ上記第７内壁の上記第７連通孔を区画する面の最下位置より下方となる第３３空間とは、上記使用姿勢において上記第３２空間に貯留された液体を貯留可能である液体消費装置。